(57)【特許請求の範囲】
【請求項１】
対象空間における設備機器の設置位置と、当該設備機器が影響を及ぼす範囲に関する性能とを含むデータを参照することによって、制御パラメータが変更された制御対象機器が影響を及ぼす区画である影響区画を求める影響区画決定手段と、
前記制御対象機器が前記変更後の制御パラメータに応じて動作する場合に当該制御対象機器が前記影響区画に及ぼす効果と、動作中の設備機器が当該影響区画に及ぼす効果とが予め定められた関係であるか否かに基づいて、不整合な状態を検知する不整合検知手段とを備える設備機器運用装置。
【請求項２】
前記不整合検知手段は、前記制御対象機器が前記影響区画に及ぼす効果と、動作中の前記設備機器が前記影響区画に及ぼす効果とが互いに阻害する関係として予め定められたものであるか否かを判定することによって、前記不整合な状態を検知する
請求項１に記載の設備機器運用装置。
【請求項３】
前記不整合検知手段は、前記制御対象機器が前記影響区画に及ぼす効果と、動作中の前記設備機器が前記影響区画に及ぼす効果とが、前記互いに阻害する関係として予め定められた組み合わせであるか否かを判定することによって、前記不整合な状態を検知する
請求項２に記載の設備機器運用装置。
【請求項４】
前記不整合検知手段は、前記制御対象機器が前記影響区画に及ぼす効果と、動作中の前記設備機器が前記影響区画に及ぼす効果とが異なるものであるか否かを判定することによって、前記不整合な状態を検知する
請求項１に記載の設備機器運用装置。
【請求項５】
前記制御パラメータの関係を定めた判定ルールと、前記制御対象機器が及ぼす効果とを関連付けた効果判定ルールデータを参照することによって、前記変更後の制御パラメータが満たす前記判定ルールに関連付けられた効果を、前記制御対象機器が前記影響区画に及ぼす効果として求める影響効果決定手段とをさらに備える
請求項１から４のいずれか１項に記載の設備機器運用装置。
【請求項６】
前記設備機器は、空気調和機である
請求項１から５のいずれか１項に記載の設備機器運用装置。
【請求項７】
前記対象空間を分割した区画のうち、動作中の前記設備機器が影響を及ぼす区画と、当該動作中の設備機器が当該区画に及ぼす効果とを関連付けた動作状態データにおいて前記影響区画に関連付けられた効果を、当該影響区画より下流側の影響区画における効果として求める第１の波及効果決定手段をさらに備え、
前記不整合検知手段は、さらに、前記第１の波及効果決定手段に求められた前記下流側の影響区画における効果と、前記動作状態データにおいて前記下流側の影響区画に関連付けられた効果との関係に基づいて、前記不整合な状態を検知する
請求項６に記載の設備機器運用装置。
【請求項８】
前記動作状態データは、当該動作中の設備機器を識別するための識別情報をさらに関連付け、
前記設備機器運用装置は、
前記設備機器を識別するための識別情報と、前記設備機器が属するグループを識別するための機器種別情報と、前記対象空間における前記設備機器の設置位置とを関連付けた配置データを記憶する配置記憶手段と、
前記機器種別情報と、当該機器種別情報が示す前記グループに属する前記設備機器が影響を及ぼす範囲に関する性能とを関連付けた機器性能データを記憶する機器性能記憶手段と、
制御パラメータが変更された前記設備機器である制御対象機器の前記識別情報と、当該変更後の制御パラメータとを含む機器制御情報を取得する機器制御情報取得手段と、
前記動作状態データが前記影響区画に関連付けられた効果を含む場合、前記配置データと前記機器性能データとを参照することによって、当該効果に前記動作状態データにて関連付けられた前記識別情報が示す前記動作中の設備機器が影響を及ぼす区画のうち、前記影響区画より下流側の区画である波及区画を求める波及区画決定手段と、
前記波及区画決定手段により前記波及区画が求められた場合に、前記制御対象機器が前記影響区画に及ぼす効果を当該波及区画における効果とする第２の波及効果決定手段とをさらに備え、
前記不整合検知手段は、さらに、前記波及区画における前記第２の波及効果決定手段により求められた効果と、前記動作状態データにおいて当該波及区画に関連付けられた効果とを参照し、当該参照した効果の関係に基づいて、前記不整合な状態を検知する
請求項７に記載の設備機器運用装置。
【請求項９】
前記設備機器は、取り込んだ空気を暖めて吹き出すことにより、設定温度を基準として予め定められた範囲となるように空間の温度を調整する暖房モードと、取り込んだ空気を冷やして吹き出すことにより、設定温度を基準として予め定められた範囲となるように空間の温度を調整する冷房モードと、取り込んだ空気を吹き出すことにより、空気を下流側へ流動させる送風モードとの少なくとも１つの動作モードで動作する前記空気調和機であり、
前記機器制御情報は、前記動作モード、前記設定温度、前記影響区画の現在の温度の少なくとも１つを、前記制御パラメータとして含み、
前記効果は、前記暖房モードにおける動作、前記冷房モードにおける動作及び前記送風モードにおける動作のそれぞれに対応する、暖める、冷やす及び送風の少なくとも１つを含む
請求項８に記載の設備機器運用装置。
【請求項１０】
設備機器を識別するための識別情報と、前記設備機器が属するグループを識別するための機器種別情報と、対象空間における前記設備機器の設置位置とを関連付けた配置データを記憶する配置記憶手段と、
前記機器種別情報と、当該機器種別情報が示す前記グループに属する前記設備機器が影響を及ぼす範囲に関する性能とを関連付けた機器性能データを記憶する機器性能記憶手段と、
前記対象空間を分割した区画のうち、動作中の前記設備機器が影響を及ぼす区画と、当該動作中の設備機器が当該区画に及ぼす効果とを関連付けた動作状態データを記憶する動作状態記憶手段と、
制御パラメータが変更された前記設備機器である制御対象機器の前記識別情報と、当該変更後の制御パラメータとを含む機器制御情報を取得する機器制御情報取得手段と、を更に備え、
前記影響区画決定手段は、前記配置データと前記機器性能データとを参照することによって、前記制御対象機器が影響を及ぼす区画である影響区画を求め、
前記不整合検知手段は、前記制御対象機器が前記変更後の制御パラメータに応じて動作する場合に当該制御対象機器が前記影響区画に及ぼす効果と、前記動作状態データにおいて当該影響区画に関連付けられた効果とが予め定められた関係であるか否かに基づいて、不整合な状態を検知する、
請求項１から７のいずれか１項に記載の設備機器運用装置。
【請求項１１】
前記不整合検知手段は、前記不整合な状態を検知しなかった場合に、前記影響区画と前記制御対象機器が前記影響区画に及ぼす効果とを関連付けた前記動作状態データを前記動作状態記憶手段に記憶させる
請求項１０に記載の設備機器運用装置。
【請求項１２】
前記配置データは、前記設備機器内に設定される基準方向が前記対象空間において向く方向である設置方向をさらに関連付け、
前記設備機器が影響を及ぼす範囲に関する性能は、前記基準方向に対して当該設備機器が空気を吹き出す方向と、当該吹き出された空気が到達する前記設備機器からの距離とを含む
請求項１０又は１１に記載の設備機器運用装置。
【請求項１３】
請求項１から１２のいずれか１項に記載の設備機器運用装置と、
当該設備機器運用装置に通信回線を介して接続された複数の前記設備機器とを備える
設備機器運用システム。
【請求項１４】
請求項８から１２のいずれか１項に記載の設備機器運用装置と、
当該設備機器運用装置に通信回線を介して接続された複数の前記設備機器とを備える設備機器運用システムであって、
前記設備機器運用装置は、
前記不整合検知手段によって前記不整合な状態が検知された場合に、前記機器制御情報取得手段により取得された前記機器制御情報を破棄するとともに、当該不整合な状態が検知された区画に効果を及ぼしている前記設備機器の動作を停止させるための機器制御情報を生成する機器制御情報生成手段と、
前記機器制御情報生成手段により生成された前記機器制御情報を前記設備機器へ送信する第１の送信手段とをさらに備え、
前記設備機器は、前記第１の送信手段から前記機器制御情報を受信し、自身が前記不整合な状態が検知された区画に効果を及ぼしている設備機器である場合に、前記受信した機器制御情報に応答して動作を停止させる
設備機器運用システム。
【請求項１５】
前記設備機器運用装置は、
前記不整合検知手段によって前記不整合な状態が検知された場合に、当該不整合な状態が検知されたことを示す警告情報を生成する警告情報生成手段と、
前記警告情報生成手段により生成された警告情報を前記設備機器へ送信する第２の送信手段とをさらに備え、
前記設備機器は、前記第２の送信手段から前記警告情報を受信し、自身が前記不整合な状態が検知された区画に効果を及ぼしている設備機器である場合に、前記警告情報に応答して前記不整合な状態が検知されたことを表示する
請求項１３又は１４に記載の設備機器運用システム。
【請求項１６】
請求項８から１２のいずれか１項に記載の設備機器運用装置と、
当該設備機器運用装置に通信回線を介して接続された複数の前記設備機器とを備える設備機器運用システムであって、
前記設備機器運用装置は、前記不整合検知手段によって前記不整合な状態が検知されなかった場合に、前記機器制御情報取得手段により取得された機器制御情報を送信する第３の送信手段をさらに備え、
前記設備機器は、前記第３の送信手段から前記機器制御情報を受信し、自身が制御対象機器である場合に、当該機器制御情報に応じて動作を変更する
設備機器運用システム。
【請求項１７】
対象空間における設備機器の設置位置と、当該設備機器が影響を及ぼす範囲に関する性能とを含むデータを参照することによって、制御パラメータが変更された制御対象機器が影響を及ぼす区画である影響区画を求め、
前記制御対象機器が前記変更後の制御パラメータに応じて動作する場合に当該制御対象機器が前記影響区画に及ぼす効果と、動作中の設備機器が当該影響区画に及ぼす効果とが予め定められた関係であるか否かに基づいて、不整合な状態を検知する設備機器運用方法。
【請求項１８】
コンピュータに、
対象空間における設備機器の設置位置と、当該設備機器が影響を及ぼす範囲に関する性能とを含むデータを参照することによって、制御パラメータが変更された制御対象機器が影響を及ぼす区画である影響区画を求める影響区画決定手段、
前記制御対象機器が前記変更後の制御パラメータに応じて動作する場合に当該制御対象機器が前記影響区画に及ぼす効果と、動作中の設備機器が当該影響区画に及ぼす効果とが予め定められた関係であるか否かに基づいて、不整合な状態を検知する不整合検知手段を実現させるためのプログラム。
【発明の詳細な説明】
【技術分野】
【０００１】
本発明は、空気調和機、照明機器などの設備機器を運用するための装置、システム、方法及びプログラムに関する。
【背景技術】
【０００２】
店舗、オフィスなどの建物内において、間仕切りなどがない広い空間の空気を調和するために、複数の空気調和機が設置されることがある。空気調和機には、自動で制御するための制御ルールを空気調和機ごとにユーザが設定可能なものや、ユーザがリモコンを用いて操作するものも多い。【０００３】
ユーザが制御ルールの設定を誤ったり、リモコンの操作を誤ったりすると、複数の空気調和機が効果を阻害し合う不整合な運転状態となることがある。不整合な運転状態とは、例えば、共通の空間に影響を及ぼす２台の空気調和機の一方が冷房運転をし、他方が暖房運転をするような動作状態である。【０００４】
不整合な動作状態では、混合損失が発生しエネルギー効率が悪くなる。また、冷暖房の両方の効果が及ぶ空間に居るユーザの快適性が損なわれる。そのため、不整合な動作状態の発生を抑制する技術が種々提案されている（例えば、特許文献１、２参照）。【０００５】
例えば、特許文献１に記載の技術は、第１ゾーンに隣接する第２ゾーン用のファンコイルの運転モードを切り替えるための運転指令が第１ゾーン用の空調機の現在の運転モードと異なる場合に、ファンコイルの運転モードの切り替えを禁止する。【０００６】
また、特許文献２に記載の技術は、第１グループ個別空調機の冷暖モードに対して第２グループ個別空調機の所定台数以上が反転した冷暖モードで運転をしている場合に第２グループ個別空調機が第１グループ個別空調機の冷暖モードになる方向に第２グループ個別空調機の設定温度をシフトさせる。
【先行技術文献】
【特許文献】
【０００７】
【特許文献１】特開平６−１５９７６２号公報
【特許文献２】特開平５−２８０７８５号公報
【発明の概要】
【発明が解決しようとする課題】
【０００８】
特許文献１及び特許文献２に記載の技術では、複数の空気調和機を固定グループに分類しグループごとに運転モードが制御される。その結果、快適性やエネルギー効率が悪くなることがある。【０００９】
本発明は、上述の事情を鑑みてなされたもので、個別に制御される複数の設備機器の不整合な運転を検知することができる設備機器運用装置などを提供することを目的とする。
【課題を解決するための手段】
【００１０】
上記目的を達成するため、本発明に係る設備機器運用装置は、
対象空間における設備機器の設置位置と、当該設備機器が影響を及ぼす範囲に関する性能とを含むデータを参照することによって、制御パラメータが変更された制御対象機器が影響を及ぼす区画である影響区画を求める影響区画決定手段と、
前記制御対象機器が前記変更後の制御パラメータに応じて動作する場合に当該制御対象機器が前記影響区画に及ぼす効果と、動作中の設備機器が当該影響区画に及ぼす効果とが予め定められた関係であるか否かに基づいて、不整合な状態を検知する不整合検知手段とを備える。
【発明の効果】
【００１１】
本発明によれば、設備機器が影響を及ぼす区画ごとに不整合な状態を検知することができる。従って、個別に制御される設備機器の不整合な運転を検知することが可能になる。
【図面の簡単な説明】
【００１２】
【図１】本発明の実施の形態１に係る空気調和機運用システムの構成を示す図である。
【図２】実施の形態１に係る空気調和機運用装置の機能的な構成を示すブロック図である。
【図３】実施の形態１に係る配置データを示す図である。
【図４】実施の形態１に係る空気調和の対象空間を分割した区画と、区画に関連付けられた空気調和機の設置位置及び影響区画とを示す図である。
【図５】機器性能データの一例を示す図である。
【図６】実施の形態１に係る動作状態データを示す図である。
【図７】効果判定ルールデータの一例を示す図である。
【図８】実施の形態１に係る運用処理の流れを示すフローチャートである。
【図９】実施の形態１に係る影響区画決定処理の流れを示すフローチャートである。
【図１０】実施の形態１において、制御対象機器が変更後の制御パラメータに応じて動作する場合に制御対象機器及びそれ以外の室内機が及ぼす効果と、その効果を及ぼす室内機の機器アドレスとを区画ごとに示す図である。
【図１１】不整合運用処理の流れを示すフローチャートである。
【図１２】整合運用処理の流れを示すフローチャートである。
【図１３】不整合な状態がないために更新される動作状態データの一例を示す図である。
【図１４】空気調和の対象空間を分割した区画の他の例を示す図である。
【図１５】本発明の実施の形態２に係る空気調和機運用システムの構成を示す図である。
【図１６】実施の形態２に係る空気調和機運用装置の機能的な構成を示すブロック図である。
【図１７】実施の形態２に係る空気調和の対象空間を分割した区画と、区画に関連付けられた空気調和機の設置位置及び影響区画とを示す図である。
【図１８】実施の形態２に係る配置データを示す図である。
【図１９】実施の形態２に係る動作状態データを示す図である。
【図２０】波及効果区画決定部が備える機能的な構成の一例を示す図である。
【図２１】実施の形態２に係る運用処理の流れを示すフローチャートである。
【図２２】波及効果区画決定処理の流れを示すフローチャートである。
【図２３】実施の形態２において、制御対象機器が変更後の制御パラメータに応じて動作する場合に制御対象機器及びそれ以外の室内機が及ぼす効果と、その効果を及ぼす元となる室内機の機器アドレスとを区画ごとに示す図である。
【発明を実施するための形態】
【００１３】
以下、本発明の実施形態について、図面を参照しつつ説明する。全図を通じて同一の要素には同一の符号を付す。
【００１４】
実施の形態１．
本発明の実施の形態１に係る設備機器システムとしての空気調和システム１００は、図１に示すように、複数の室内機１０２ａ，１０２ｂと、室外機１０３と、空気調和機運用装置１０４とを備える。これらは通信回線１０６を介して相互に通信可能に接続される。通信回線１０６は、例えば、汎用のネットワーク、空気調和システム用のネットワークなどであり、有線回線、無線回線などから構成されてよい。
【００１５】
複数の室内機１０２ａ，１０２ｂは、例えば建物内に設置され、図示しない冷媒管及び通信回線１０６で接続された室外機１０３とともに動作することによって対象空間１０８の空気を調和する。対象空間１０８は、例えば、連続した空間を有する一室であって、典型的にはその室内に間仕切りなどがないものである。
【００１６】
室内機１０２ａ，１０２ｂのそれぞれは、対象空間１０８を分割した区画のうち、室内機１０２ａ，１０２ｂのそれぞれに応じた区画の空気を調和する空気調和機である。室内機１０２ａ，１０２ｂのそれぞれは、リモコン１１０ａ，１１０ｂと、温度センサ１１１ａ，１１１ｂとを備える。
【００１７】
リモコン１１０ａ，１１０ｂのそれぞれは、ユーザが操作するボタン、タッチパネルなどを備え、操作に応じた制御命令を室内機１０２ａ，１０２ｂへ出力する。制御命令は、例えば、室内機１０２ａ，１０２ｂの各々を制御するためのパラメータである制御パラメータを示す命令であって、その種別とその値とを含む。制御命令に含まれる制御パラメータの種別には、例えば、「ｏｎｏｆｆ」、「動作モード」、「設定温度」がある。制御パラメータは、例えば、その種別が「ｏｎｏｆｆ」である場合は「起動」又は「停止」を表す値、文字列などである。制御パラメータの種別が「動作モード」である場合は、制御パラメータは、例えば、「冷房モード」、「暖房モード」又は「送風モード」を表す値、文字列などである。制御パラメータの種別が「設定温度」である場合は、制御パラメータの値は、例えば、設定温度を表す数値などである。
【００１８】
温度センサ１１１ａ，１１１ｂのそれぞれは、室温を測定し、測定した温度を示す温度情報を出力するセンサである。温度センサ１１１ａ，１１１ｂのそれぞれは、例えば室内機１０２ａ，１０２ｂの各々が空気を吸い込むための吸い込み口の温度を測定する。「室温」は制御パラメータの種別の１つであり、この制御パラメータは、例えば、温度センサ１１１ａ，１１１ｂの各々により測定された温度を表す数値などである。室内機１０２ａ，１０２ｂの各々は、これらの制御パラメータに応じて、個別に、冷房モード、暖房モード、送風モードのいずれかで動作することができる。
【００１９】
冷房モードでは、室内機１０２ａ，１０２ｂの各々は、取り込んだ空気を冷やして吹き出すことにより、設定温度を基準として予め定められた範囲となるように、予め定められた空間の室温を調整する。暖房モードでは、室内機１０２ａ，１０２ｂの各々は、取り込んだ空気を暖めて吹き出すことにより、設定温度を基準として予め定められた範囲となるように、予め定められた空間の室温を調整する。送風モードでは、室内機１０２ａ，１０２ｂの各々は、取り込んだ空気を吹き出すことにより、その吹き出し方向である下流側の予め定められた空間へ空気を流動させる。
【００２０】
なお、温度センサ１１１ａ，１１１ｂの各々が設けられる場所は、室内機１０２ａ，１０２ｂの吸い込み口に限られず、室温又は室温とみなし得る温度を測定できる場所であればよい。
【００２１】
空気調和機運用装置１０４は、複数の室内機１０２ａ，１０２ｂを運用するための装置であって、複数の室内機１０２ａ，１０２ｂを監視し制御する。空気調和機運用装置１０４は、機能的には図２に示すように、配置記憶部１１５と、機器性能記憶部１１６と、動作状態記憶部１１７と、効果判定ルール記憶部１１８と、通信部１１９と、機器制御情報取得部１２０と、効果決定部１２１と、影響区画決定部１２２と、不整合検知部１２３と、送信情報生成部１２４とを備える。
【００２２】
配置記憶部１１５、機器性能記憶部１１６、動作状態記憶部１１７及び効果判定ルール記憶部１１８のそれぞれには、同図に示すように、配置データ１２５、機器性能データ１２６、動作状態データ１２７及び効果判定ルールデータ１２８が格納される。
【００２３】
配置データ１２５は、対象空間１０８の空気を調和するために設置された室内機１０２ａ，１０２ｂの各々の設置状態を示すデータであって、図３に示すように、機器アドレスと、機器種別と、設置位置と、設置方向とを関連付けたものである。
【００２４】
機器アドレスは、室内機１０２ａ，１０２ｂの各々を識別するための識別情報として、通信回線１０６における室内機１０２ａ，１０２ｂの各々のアドレスを示す。
【００２５】
機器種別は、室内機１０２ａ，１０２ｂの各々が属するグループを識別するための機器識別情報である。
【００２６】
設置位置は、室内機１０２ａ，１０２ｂの各々が設置される対象空間１０８における位置を示す設置位置情報であり、対象空間１０８を分割したグリッド状の各区画の位置により表される。
【００２７】
本実施の形態では、対象空間１０８は、図４に示すように、上方から見て、長方形をなし、同じ大きさの正方形をなす区画に分割される。各区画の位置は（ｍ，ｎ）で表され、（ｍ，ｎ）は、同図の左上を（０，０）としてｍ行目、かつ、ｎ列目であることを表す。
【００２８】
設置方向は、室内機１０２ａ，１０２ｂの各々が設置される方向を示す設置方向情報であり、室内機１０２ａ，１０２ｂの各々の吹き出し口が向く方向を特定するためのものである。本実施の形態では、設置方向は、対象空間１０８における特定の方向（鉛直方向）を法線とする基準面（水平面）において、室内機１０２ａ，１０２ｂの各々に予め定められる基準方向が向く方向であり、基準面に設定される座標系での単位ベクトルで表される。基準方向は、例えば、室内機１０２ａ，１０２ｂの各々の吹き出し口の１つが向く方向に定められる。本実施の形態において、設置方向｛１，０｝は、室内機１０２ａ，１０２ｂに設定された基準方向が区画の行方向を向くことを表す。
【００２９】
機器性能データ１２６は、室内機１０２ａ，１０２ｂの各々が影響を及ぼす範囲に関する性能が共通するグループごとに、グループと性能とを関連付けたデータである。
【００３０】
機器性能データ１２６は、例えば、図５に示すように、機器種別と、その機器種別に属する室内機１０２ａ，１０２ｂの各々が影響を及ぼす範囲に関して共通に有する性能とを関連付ける。この性能は、その機器種別に属する室内機１０２ａ，１０２ｂに共通する吹き出し方向と、各方向へ吹き出された空気が到達する距離（気流到達距離）とで表される。
【００３１】
吹き出し方向は、室内機１０２ａ，１０２ｂに設定された基準方向が（１，０）となる基準面における座標系の単位ベクトルで表される。気流到達距離は、予め定められる基準長さで表され、本実施の形態では正方形の区画の一辺の長さを「１」として表される。
【００３２】
図５に示す機器性能データ１２６では、例えば、機器種別「４方向吹出し室内機」には、「｛｛１，０｝，１｝｛｛−１，０｝，１｝｛｛０，１｝，１｝｛｛０，−１｝，１｝｝」という性能が関連付けられている。この性能は、吹き出し方向の数に応じた４つの要素、｛１，０｝，１｝、｛｛−１，０｝，１｝、｛｛０，１｝，１｝及び｛｛０，−１｝，１｝を含む。各要素は、吹き出し方向と気流到達距離を含んでおり、例えば、｛１，０｝，１｝は、｛１，０｝という吹き出し方向の気流到達距離が「１」であることを表す。
【００３３】
動作状態データ１２７は、動作中の室内機１０２ａが影響を及ぼす区画とその区画への効果とを関連付けたデータであって、図６に示すように、区画と、動作中の室内機１０２ａの機器アドレス及び効果とを関連付けたものである。
【００３４】
区画は、各区画の位置を示す区画情報である。動作中の室内機１０２ａの機器アドレスは、複数の室内機１０２ａ，１０２ｂのうち、動作している室内機１０２ａ，１０２ｂの機器アドレスである。
【００３５】
効果は、室内機１０２ａ，１０２ｂの動作が空間に及ぼす効果を示す効果情報である。例えば、室内機１０２ａ，１０２ｂが冷房モードで動作している場合の効果は「冷やす」である。例えば、室内機１０２ａ，１０２ｂが暖房モードで動作している場合の効果は「暖める」である。例えば、室内機１０２ａ，１０２ｂが送風モードで動作している場合の効果は「送風」である。同図では、機器アドレス「１」の室内機１０２ａが動作中であって、｛０，１｝｛１，０｝｛１，１｝｛１，２｝｛２，１｝で表される区画へ「冷やす」という効果を及ぼしている例を示す。
【００３６】
効果判定ルールデータ１２８は、室内機１０２ａ，１０２ｂのいずれかの制御パラメータが変更された場合に、その室内機１０２ａ，１０２ｂが変更後の制御パラメータに応じて動作する場合に影響区画に及ぼす効果（影響効果）を判定するためのルールを規定するデータである。効果判定ルールデータ１２８は、図７に示すように、効果と判定ルールとを関連付ける。
【００３７】
ここで、制御パラメータは、リモコン１１０ａ，１１０ｂのいずれかが操作された場合、温度センサ１１１ａ，１１１ｂのいずれかにより測定される温度が変化した場合などに変更される。以下、制御パラメータが変更された室内機１０２ａ，１０２ｂを制御対象機器と称する。本実施の形態では、室内機１０２ｂが制御対象機器である例により説明し、制御対象機器１０２ｂと表記する。影響区画とは、制御対象機器１０２ｂが変更後の制御パラメータに応じて動作する場合に効果を及ぼす区画をいう。
【００３８】
図２を参照する。
通信部１１９は、通信回線１０６を介して室内機１０２ａ，１０２ｂの各々との間で情報を送受信する。通信部１１９は、送信のために情報を生成し、受信した情報を解釈する。
【００３９】
機器制御情報取得部１２０は、制御対象機器１０２ｂから送信される機器制御情報を通信部１１９を介して取得する。機器制御情報は、制御対象機器１０２ｂにて変更された変更後の制御パラメータ（種別、温度など）と、制御対象機器１０２ｂの機器アドレスとを含む情報である。
【００４０】
効果決定部１２１は、効果判定ルールデータ１２８を参照することによって、影響効果を求める。詳細には、効果決定部１２１は、機器制御情報に含まれる変更後の制御パラメータが満たす判定ルールに関連付けられた効果を抽出し、その抽出した効果を影響効果とする。
【００４１】
ここで、判定ルールを適用するために必要な制御パラメータのうち、制御対象機器１０２ｂにて変更されていないものは、機器制御情報取得部１２０は取得しなくてもよい。この場合、制御ルールを適用するために必要な制御パラメータのうち、機器制御情報取得部１２０が取得した機器制御情報に含まれないものについては、効果決定部１２１が、例えば通信部１１９を介して制御対象機器１０２ｂへ要求するとよい。効果決定部１２１は、この要求に応じた制御対象機器１０２ｂから、制御対象機器１０２ｂにて変更されていない制御パラメータを含む機器制御情報を取得できる。
【００４２】
影響区画決定部１２２は、配置データ１２５と機器性能データ１２６とを参照することによって、影響区画を求める。
【００４３】
不整合検知部１２３は、影響区画における不整合な状態を検知する。
【００４４】
詳細には、不整合検知部１２３は、影響効果と、動作状態データ１２７において影響区画に関連付けられた、制御対象機器１０２ｂ以外の室内機１０２ａの効果とを参照する。不整合検知部１２３は、参照した効果の関係に基づいて、影響区画における不整合な状態を検知する。
【００４５】
より詳細には、ある影響区画について参照した効果が互いに阻害する関係として予め定められた組み合わせである場合に、不整合検知部１２３は、その影響区画が不整合な状態であることを検知する。ある影響区画について参照した効果が互いに阻害する関係として予め定められた組み合わせでない場合に、不整合検知部１２３は、その影響区画が不整合な状態でないことを検知する。
【００４６】
例えば、「冷やす」と「暖める」という効果は相反するものであるので、「冷やす」と「暖める」と効果の組み合わせが互いに阻害する関係として定められるとよい。
【００４７】
送信情報生成部１２４は、不整合検知部１２３により不整合な状態が検知された場合に、送信情報を生成する。送信情報は、制御対象機器１０２ｂと、影響区画に影響を及ぼしている動作中の室内機１０２ａであって、制御対象機器１０２ｂ以外のものへ送信する情報である。送信情報は、例えば、送信先の室内機１０２ａ，１０２ｂの動作を停止させる制御機器情報、送信先の室内機１０２ａ，１０２ｂのリモコン１１０ａ，１１０ｂに不整合な状態が検知されたことを表示させる警告情報などの１つ以上を含む。
【００４８】
空気調和機運用装置１０４は、物理的には例えば、プロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、通信インタフェースなどから構成される。配置記憶部１１５、機器性能記憶部１１６、動作状態記憶部１１７及び効果判定ルール記憶部１１８は、例えば、フラッシュメモリにより実現される。通信部１１９は、例えば、通信インタフェースにより実現される。機器制御情報取得部１２０と、効果決定部１２１と、影響区画決定部１２２と、不整合検知部１２３と、送信情報生成部１２４とは、例えば、ＲＯＭに格納されたソフトウェアプログラムを実行するプロセッサにより実現される。
【００４９】
また、空気調和機運用装置１０４が備える機能は、インストールされたプログラムを実行する汎用のコンピュータにより実現されてもよい。このプログラムは、コンピュータに読み取り可能な各種記憶媒体に記録されて頒布されてもよく、インターネットなどの通信回線を介して頒布されてもよい。
【００５０】
これまで、実施の形態１に係る空気調和システム１００及び空気調和機運用装置１０４の構成について説明した。ここから空気調和システム１００及び空気調和機運用装置１０４の動作について説明する。
【００５１】
制御パラメータが変更された制御対象機器１０２ｂは、変更後の制御パラメータに機器アドレスを関連付けることによって機器制御情報を生成し、空気調和機運用装置１０４へ送信する。
【００５２】
空気調和機運用装置１０４が動作しているときに制御対象機器１０２ｂから機器制御情報が送信されると、図８に示すように、機器制御情報取得部１２０は、通信部１１９を介して機器制御情報を受信する（ステップＳ１０１）。
【００５３】
本実施の形態では、ユーザが制御対象機器１０２ｂを「設定温度２８℃」かつ「冷房モード」で動作させる意図でリモコン１１０ｂを操作したが、誤操作により「設定温度２８℃」かつ「暖房モード」の制御命令がリモコン１１０ｂから制御対象機器１０２ｂへ出力されたとする。この場合、機器制御情報取得部１２０により取得される機器制御情報は、制御対象機器１０２ｂの機器アドレス「２」と、「動作モード」を「暖房モード」とし、かつ、「設定温度」を「２８℃」として制御対象機器１０２ｂを起動させる制御パラメータとを含む。この機器制御情報の内容は、｛２，動作モード，暖房｝及び｛２，設定温度，２８℃｝により表されるとする。
【００５４】
なお、機器制御情報は、上述のように制御対象機器１０２ｂから出力されてもよいが、空気調和機運用装置１０４がセンサによる計測値などを取得して自身で生成してもよい。
【００５５】
効果決定部１２１は、機器制御情報取得部１２０により取得された機器制御情報に応じて制御対象機器１０２ｂが動作する場合に制御対象機器１０２ｂが影響区画に及ぼす効果を影響効果として求める（ステップＳ１０２）。
【００５６】
詳細には、効果決定部１２１は、例えば、図７に示す効果判定ルールデータ１２８を参照し、機器制御情報に含まれる制御パラメータを満たす判定ルールを抽出し、その判定ルールに関連付けられた効果を影響効果として求める。同図に示すように、判定ルールに適用するために必要な制御パラメータは、「運転モード」と「設定温度」と「室温」とである。
【００５７】
本実施の形態では、機器制御情報取得部１２０は、｛２，動作モード，暖房｝及び｛２，設定温度，２８℃｝を含む機器制御情報を取得する。種別が「室温」である制御パラメータの値を示す機器制御情報については、効果決定部１２１が制御対象機器１０２ｂに要求して取得する。本実施の形態では、制御対象機器１０２ｂが温度センサ１１１ｂから「２９℃」を示す温度情報を取得した結果、効果決定部１２１が制御対象機器１０２ｂから取得する機器制御情報は、｛２，室温，２９℃｝であるとする。
【００５８】
効果決定部１２１は、動作モードが暖房であり、設定温度が２８℃であり、室温が２９℃である制御パラメータを、効果判定ルールデータ１２８に含まれる判定ルールに適用する。その結果、効果決定部１２１は、影響効果として「暖める」を求める。
【００５９】
影響区画決定部１２２は、影響効果を示す影響効果情報と、機器制御情報とを効果決定部１２１から取得すると、影響区画を求める（ステップＳ１０３）。
【００６０】
詳細には、図９に示すように、影響区画決定部１２２は、配置データ１２５と機器性能データ１２６とを参照し（ステップＳ１１１）、影響方向を求める（ステップＳ１１２）。影響方向は、制御対象機器１０２ｂが対象空間１０８において影響を及ぼす方向である。
【００６１】
本実施の形態では、影響区画決定部１２２は、機器制御情報に含まれる機器アドレスである「２」に配置データ１２５において関連付けられた、「機器種別」である「４方向吹出し室内機」と、「設置方向」である「｛１，０｝」とを抽出する。影響区画決定部１２２は、「４方向吹出し室内機」である「機器種別」に機器性能データ１２６において関連付けられた性能である「｛｛１，０｝，１｝｛｛−１，０｝，１｝｛｛０，１｝，１｝｛｛０，−１｝，１｝｝」を抽出する。
【００６２】
影響区画決定部１２２は、配置データ１２５から抽出した「設置方向」に応じて、機器性能データ１２６から抽出した「性能」に含まれる吹き出し方向を適宜回転させて影響方向を求める。本実施の形態では「設置方向」は「｛１，０｝」であるので、回転は不要である。その結果、影響区画決定部１２２は、｛１，０｝｛−１，０｝｛−１，０｝｛１，１｝を影響方向として求める。
【００６３】
ここで、仮に「設置方向」が「｛０，１｝」であれば、影響区画決定部１２２は、「性能」に含まれる吹き出し方向｛ｘ，ｙ｝を回転させて、｛−ｙ，ｘ｝とすることで影響方向を求める。
【００６４】
影響区画決定部１２２は、影響区画を求める（ステップＳ１１３）。
【００６５】
本実施の形態では、影響区画決定部１２２は、機器制御情報に含まれる機器アドレスである「２」に配置データ１２５において関連付けられた「設置位置」である「｛１，１｝」を抽出する。影響区画決定部１２２は、ステップＳ１１２にて抽出した「性能」に含まれる気流到達距離「１」を抽出する。影響区画決定部１２２は、「｛１，１｝」という「設置位置」、及び、この「設置位置」からステップＳ１１２にて求めた影響方向へ、抽出した気流到達距離「１」までに含まれる区画の位置を影響区画として求める。従って、本実施の形態において求められる影響区画は、｛１，３｝、｛２，３｝、｛０，３｝、｛１，４｝及び｛１，２｝となる。
【００６６】
影響区画決定部１２２は、ステップＳ１１３にて求めた影響区画と、機器制御情報に含まれる機器アドレスと、効果決定部１２１から取得した影響効果情報が示す影響効果とを含む影響データを生成して不整合検知部１２３へ出力する（ステップＳ１１４）。
【００６７】
本実施の形態では、影響データは、影響区画と、機器アドレス及び影響効果とを含み、｛｛１，３｝｛２，暖める｝｝、｛｛２，３｝｛２，暖める｝｝、｛｛０，３｝｛２，暖める｝｝、｛｛１，４｝｛２，暖める｝｝及び｛｛１，２｝｝｛２，暖める｝｝により表されるとする。
【００６８】
図８を再び参照する。不整合検知部１２３は、影響データを取得し、影響データに含まれるすべての影響区画に動作状態データ１２７において関連付けられた、制御対象機器１０２ｂ以外の動作中の室内機１０２ａの機器アドレス及び効果を求める。（ステップＳ１０４）。
【００６９】
ここで、ステップＳ１０４にて参照される動作状態データ１２７は、制御対象機器１０２ｂ以外の動作中の室内機１０２ａに関するデータである。すなわち、制御対象機器１０２ｂがすでに動作しており、その動作状態データ１２７が動作状態記憶部１１７に記憶されていた場合、その動作状態データ１２７は、ステップＳ１０４の処理では除外される。
【００７０】
本実施の形態では、影響データに含まれる影響区画は、｛１，３｝、｛２，３｝、｛０，３｝、｛１，４｝及び｛１，２｝である。図６に示す動作状態データ１２７において関連付けられた、制御対象機器１０２ｂ以外の動作中の室内機１０２ａの機器アドレス及び効果は、すべて｛１，冷やす｝である。従って、不整合検知部１２３は、｛１，３｝、｛２，３｝、｛０，３｝、｛１，４｝及び｛１，２｝のそれぞれについて、制御対象機器１０２ｂ以外の動作中の室内機１０２ａの機器アドレス及び効果として｛１，冷やす｝を求める。
【００７１】
不整合検知部１２３は、影響データに含まれる影響区画ごとに、影響データにて影響区画に関連付けられた効果と、制御対象機器１０２ｂ以外の動作中の室内機１０２ａがその影響区画に及ぼす効果とを参照する。不整合検知部１２３は、参照した効果が互いに阻害する関係として予め定められた組み合わせであるか否かを判定することによって、不整合な状態を検知する（ステップＳ１０５）。
【００７２】
詳細には、不整合検知部１２３は、影響データに含まれる影響区画の中に１つでも所定の組み合わせであるものが含まれる場合に、不整合な状態であると判定する（ステップＳ１０５；Ｙｅｓ）。影響データに含まれる影響区画に所定の組み合わせであるものが１つも含まれない場合に、不整合検知部１２３は、不整合な状態ではないと判定する（ステップＳ１０５；Ｎｏ）。
【００７３】
本実施の形態では、互いに阻害する効果の組み合わせとして、「暖める」と「冷やす」が定められているとする。ステップＳ１０４にて参照した効果のうち、影響区画｛１，２｝に関するものが、図１０に示すように、「暖める」と「冷やす」の組み合わせとなる。
【００７４】
従って、不整合検知部１２３は、参照した効果から「暖める」と「冷やす」の組み合わせを検索することによって、影響データに含まれる影響区画の中に「暖める」と「冷やす」の組み合わせがあると判定する。その結果、不整合検知部１２３は、不整合な状態であると判定する。
【００７５】
ここで、不整合検知部１２３が参照する効果、すなわち、制御対象機器１０２ｂによる影響効果、又は制御対象機器１０２ｂ以外の動作中の室内機１０２ａによる効果が「送風」である場合、その効果は、不整合検知部１２３による検索の対象から除外されてもよい。
【００７６】
不整合な状態であると判定した場合（ステップＳ１０５；Ｙｅｓ）、不整合検知部１２３は、不整合な状態である影響区画に影響を及ぼす室内機１０２ａ，１０２ｂの機器アドレスを求める。すなわち、不整合検知部１２３は、制御対象機器１０２ｂの機器アドレスと、不整合な状態である影響区画に影響を及ぼす、制御対象機器１０２ｂ以外の動作中の室内機１０２ａの機器アドレスとを求める（ステップＳ１０６）。
【００７７】
本実施の形態では、不整合検知部１２３は、制御対象機器１０２ｂの機器アドレス「２」と、不整合な状態である影響区画に影響を及ぼす、制御対象機器１０２ｂ以外の動作中の室内機１０２ａの機器アドレス「１」とを求める。
【００７８】
送信情報生成部１２４は、不整合運用処理（ステップＳ１０７）を実行する。
【００７９】
詳細には、図１１に示すように、送信情報生成部１２４は、機器制御情報取得部１２０により取得された機器制御情報を破棄する。そして、送信情報生成部１２４は、ステップＳ１０６にて抽出した機器アドレスの室内機１０２ａ，１０２ｂの動作を停止させる機器制御情報を送信情報として生成する（ステップＳ１２１）。
【００８０】
本実施の形態では、送信情報生成部１２４は、機器制御情報取得部１２０により取得された機器制御情報を破棄する。送信情報生成部１２４は、機器アドレスが「１」である室内機１０２ａを停止させる機器制御情報である｛１，運転ｏｎｏｆｆ，停止（０）｝と、機器アドレスが「２」である室内機１０２ｂを停止させる機器制御情報である｛２，運転ｏｎｏｆｆ，停止（０）｝とを生成する。
【００８１】
送信情報生成部１２４は、ステップＳ１０６にて抽出した機器アドレスの室内機１０２ａ，１０２ｂのリモコン１１０ａ，１１０ｂに不整合な状態であることを表示させる警告情報を送信情報として生成する（ステップＳ１２２）。
【００８２】
通信部１１９は、送信情報生成部１２４により生成された送信情報（機器制御情報と警告情報とを含む）を取得すると、第１の送信手段として機器制御情報を、第２の送信手段として警告情報を、ステップＳ１０６にて抽出した機器アドレスへ送信する（ステップＳ１２３）。
【００８３】
このような送信情報を受信した室内機１０２ａ，１０２ｂの各々は、送信情報に含まれる機器制御情報に従って動作を停止させる。これによって、不整合な状態を解消することができ、影響区画における快適性やエネルギー効率の悪化を抑制することができる。
【００８４】
また、送信情報を受信した室内機１０２ａ，１０２ｂのそれぞれは、送信情報に含まれる警告情報に従って、不整合な状態になることを例えばリモコン１１０ａ，１１０ｂに表示する。これによって、ユーザは不整合な状態になること知り、不整合な状態を解消させるための措置をとることが可能になる。その結果、影響区画における快適性やエネルギー効率の向上を図ることが可能になる。
【００８５】
図８を参照すると、不整合な状態でないと判定された場合（ステップＳ１０５；Ｎｏ）、不整合検知部１２３は、整合運用処理（ステップＳ１０８）を実行する。
【００８６】
詳細には、図１２に示すように、不整合検知部１２３は、制御対象機器１０２ｂを変更後の制御パラメータに応じて動作させた場合の動作状態データ１２７を動作状態記憶部１１７に記憶させる。これによって、不整合検知部１２３は、動作状態データ１２７を更新する（ステップＳ１３１）。このとき制御対象機器である室内機１０２ｂがすでに動作しており、その動作状態データ１２７が動作状態記憶部１１７に記憶されていた場合には、その動作状態データ１２７は削除されるとよい。
【００８７】
例えば本実施の形態において、仮に制御対象機器１０２ｂの動作モードが「暖房モード」ではなく、「冷房モード」であった場合、不整合な状態でないと判定されて（ステップＳ１０５；Ｎｏ）、図１３に示す動作状態データ１２７により動作状態記憶部１１７が更新される。これにより、実際に動作中である室内機１０２ａ，１０２ｂと、それらが影響を及ぼす区画と、その区画への効果とを含む内容に動作状態データ１２７を更新することができる。
【００８８】
通信部１１９は、不整合検知部１２３から機器制御情報を取得すると、その機器制御情報を第３の送信手段として、制御対象機器１０２ｂの機器アドレスへ送信する（ステップＳ１３２）。これにより、制御対象機器１０２ｂは、ユーザの操作によりリモコン１１０ｂから出力された制御命令に応じて動作する。この動作が開始しても不整合な状態になることはない。そのため、影響区画における快適性や省エネルギー性をさせることが可能になる。
【００８９】
これまで説明したように本実施の形態では、本実施の形態では、影響区画への効果の関係に基づいて不整合な状態が検知される。そのため、個別に制御される複数の設備機器の動作によって生じる不整合な状態を検知することができる。
【００９０】
影響区画への効果が互いに阻害する関係であるか否かにより、不整合な状態が検知される。そのため、快適性やエネルギー効率の悪化を抑制することが可能になる。
【００９１】
影響区画への効果が互いに阻害する関係として予め定めた組み合わせであるか否かにより、不整合な状態が検知される。そのため、不整合な状態を明確に検知することができる。
【００９２】
本実施の形態では、動作状態データ１２７及び効果判定ルールデータ１２８において、効果は動作モードの性質に応じて分類されている。そして、不整合な状態は、これらの分類された効果に基づいて検知される。そのため、不整合な状態であるか否かを明確に判定することができる。
【００９３】
より詳細には、実施の形態では、効果は「冷やす」「暖める」「送風」に分類される。そのため、運転モード、設定温度など複数の種別の制御パラメータに基づいて制御される室内機１０２ａ，１０２ｂの各々の動作による効果を明確に判定することができる。
【００９４】
機器性能データ１２６は出荷時などに予め設定することができるデータであり、動作状態データ１２７は空気調和システム１００の動作時に随時更新される。そのため、空気調和システム１００を新たに設置する場合、室内機１０２ａ，１０２ｂを増設する場合などに設定が必要なデータは、配置データ１２５のみである。空気調和システム１００の設置、室内機１０２ａ，１０２ｂの増設などの際に、設置者が各室内機１０２ａ，１０２ｂの影響区画を設定するよりも、設置者の作業量を低減させることが可能になる。
【００９５】
機器性能データ１２６は、同じ機器種別で示されるグループに属する室内機１０２ａ，１０２ｂが影響を及ぼす範囲に関して共通する性能を含み、その性能は室内機１０２ａ，１０２ｂが発生させる気流の方向と、その気流が到達する距離とを含む。配置データ１２５は、室内機１０２ａ，１０２ｂの各々の設置位置に加えて、設置方向を含む。これにより、室内機１０２ａ，１０２ｂの各々の動作による効果が及ぶ区画を正確に求めることができる。従って、不整合な状態を正確に検知することが可能になる。
【００９６】
以上、本発明の実施の形態１について説明したが、本実施の形態はこれに限られない。
【００９７】
例えば、実施の形態では、設備機器運用装置である空気調和機運用装置１０４が、空気調和機である室内機１０２ａ，１０２ｂを運用の対象とする例を説明したが、設備機器運用装置が運用の対象とする設備機器は、例えば照明機器などであってもよい。
【００９８】
例えば、実施の形態では、区画はすべて同じ広さの矩形の領域であるとした。しかし、区画は、必ずしも、同じ広さでなくてもよく、また矩形の領域でなくてもよい。例えば、図１４に示すように、広さと形状が異なる区画が対象空間に設定されてもよい。
【００９９】
例えば、不整合な状態を検知した場合、空気調和機運用装置１０４は、不整合な状態の影響区画に効果を及ぼすすべての室内機１０２ａ，１０２ｂの動作を停止させることとした。しかし、不整合な状態を検知した場合、空気調和機運用装置１０４は、機器制御情報を破棄して制御対象機器１０２ｂの動作を停止させる一方で、すでに動作している室内機１０２ａには、その動作を継続させてもよい。これによっても、不整合な状態の発生を抑制することができる。従って、エネルギー効率や快適性の悪化を抑えることが可能になる。
【０１００】
また、不整合な状態を検知した場合、空気調和機運用装置１０４は、制御対象機器である室内機１０２ｂに機器制御情報に基づく制御を許容してもよい。このとき、空気調和機運用装置１０４は、警告情報のみを生成して室内機１０２ａ及び制御対象機器１０２ｂの一方又は両方へ送信してもよい。これによって、不整合な状態をユーザに気付かせ、ユーザの適切な措置を促すことができる。従って、エネルギー効率や快適性の悪化を抑えることが可能になる。
【０１０１】
変形例１．
例えば、実施の形態では、不整合検知部１２３は、参照した効果が互いに阻害し合うものである場合に、不整合な状態であると判定することとした。しかし、不整合な状態はこの場合に限られない。不整合検知部１２３は、参照した効果が異なるものである場合に、不整合な状態であると判定してもよい。
【０１０２】
動作モードが「冷房モード」「暖房モード」「送風モード」に加えて「除湿モード」を含むとする。この場合、「冷房モード」「暖房モード」「送風モード」それぞれの効果は「冷やす」「暖める」「送風」である。「除湿モード」の効果は、「冷やす」であってもよく、「除湿」であってもよい。
【０１０３】
「除湿モード」の効果が「除湿」とされ、室内機１０２ａが冷房モードで動作しているところに、「除湿モード」で動作させる制御命令が制御対象機器１０２ｂに出力されたとする。制御対象機器１０２ｂの影響区画のいずれかに動作中の室内機１０２ａの効果が及ぶ場合、その区画での効果は、「除湿」と「冷房」とになる。この場合、不整合検知部１２３は、効果が互いに異なるものであるため、不整合な状態であると判定するとよい。そして、送信情報生成部１２４は、「冷房モード」で動作する室内機１０２ａを「除湿モード」で動作させる制御機器情報を送信情報として生成して、室内機１０２ａへ送信させてもよい。
【０１０４】
これによって、不整合な状態を検知して解消することができる。また、一般的に、「除湿モード」での動作の方が、「冷房モード」での動作より消費エネルギーが低い。そのため、ユーザの快適性を損なうことなく、より省エネルギー性の高い制御を行なうことが可能になる。
【０１０５】
実施の形態２．
実施の形態１に係る空気調和機運用装置１０４は、制御対象機器１０２ｂが直接的に及ぼす効果と、制御対象機器１０２ｂ以外の動作中の室内機１０２ａによる効果とに基づいて、不整合な状態を検知した。本実施の形態２に係る空気調和機運用装置は、さらに、影響区画における効果が室内機の動作により発生する気流によって他の区画へ波及することを考慮して不整合な状態を検知する。
【０１０６】
本実施の形態に係る空気調和システム２００は、実施の形態１に係る空気調和システム１００の構成に加えて室内機２０２を備え、実施の形態１に係る空気調和機運用装置１０４に代わる空気調和機運用装置２０４を備える。
【０１０７】
室内機２０２は、他の室内機１０２ａ，１０２ｂと同様に、通信回線１０６を介して空気調和機運用装置２０４に通信可能に接続されており、ユーザが操作するリモコン２１０と室温を測定する温度センサ２１１とを備える。室内機２０２は、他の室内機１０２ａ，１０２ｂと同様に、ユーザによるリモコン２１０の操作に応じて「冷房モード」「暖房モード」「送風モード」で動作する。室内機２０２は、他の室内機１０２ａ，１０２ｂと異なり、機器種別が「１方向吹出し室内機」である。
【０１０８】
本実施の形態に係る空気調和機運用装置２０４は、実施の形態１に係る空気調和機運用装置１０４と同様に、複数の室内機１０２ａ，１０２ｂ，２０２を運用するための装置であって、複数の室内機１０２ａ，１０２ｂ，２０２を監視し制御する。
【０１０９】
空気調和機運用装置２０４は、図１６に示すように、実施の形態１に係る空気調和機運用装置１０４が備える構成に加えて、波及効果区画決定部２３０を備える。また、空気調和機運用装置２０４は、実施の形態１に係る配置記憶部１１５、動作状態記憶部１１７及び不整合検知部１２３に代わる配置記憶部２１５、動作状態記憶部２１７及び不整合検知部２２３を備える。
【０１１０】
配置記憶部２１５には、同図に示すように、配置データ２２５が格納されている。配置データ２２５は、図１８に示すように、実施の形態１に係る配置データ１２５と同様の構成である。
【０１１１】
本実施の形態では、図１７に示すように、室内機１０２ａ，１０２ｂ，２０２が設置されている。そのため、配置データ２２５は、図１８に示すように、実施の形態１と同様に、機器アドレスが「１」である室内機１０２ａのデータを含む。配置データ２２５は、機器アドレスが「２」である室内機１０２ｂについて、実施の形態１と異なり、区画「｛０，３｝」に設置されるデータを含む。配置データ２２５は、さらに、区画「｛２，２｝」に設置方向「｛−１，０｝」で設置される機器アドレスが「３」である室内機２０２のデータを含む。
【０１１２】
動作状態記憶部２１７には、図１６に示すように、動作状態データ２２７が格納されている。動作状態データ２２７は、図１９に示すように、実施の形態１に係る動作状態データ１２７と同様の構成である。
【０１１３】
動作状態データ２２７は、同図に示すように、実施の形態１と同様のデータに加えて、室内機１０２ｂが区画「｛０，２｝、｛０，３｝、｛０，４｝、｛１，３｝」に「暖める」という効果を及ぼして動作していることを示すデータを含む。従って、本実施の形態では、室内機１０２ａ及び室内機１０２ｂが動作中である。
【０１１４】
そして、本実施の形態では、室内機２０２が制御命令を受けた制御対象機器であるとし、制御対象機器２０２と表記する。
【０１１５】
図１６を参照する。波及効果区画決定部２３０は、制御対象機器２０２以外の室内機１０２ａ，１０２ｂ，２０２が発生させる気流によって波及する影響区画における効果と、影響区画以外に波及する区画（波及区画）とを求める。
【０１１６】
波及効果区画決定部２３０は、図２０に示すように、第１の波及効果決定部２３１と、波及区画決定部２３２と、第２の波及効果決定部２３３とを備える。
【０１１７】
第１の波及効果決定部２３１は、制御対象機器２０２が変更後の制御パラメータに応じて動作した場合に制御対象機器２０２が動作することにより影響区画において波及する効果（波及効果）を求める。
【０１１８】
すなわち、波及効果は、制御対象機器２０２以外の動作中の室内機１０２ａ，１０２ｂが影響区画へ及ぼしている効果が波及したものである。従って、波及効果は、動作状態データ２２７において影響区画に関連付けられた、制御対象機器２０２以外の室内機１０２ａ，１０２ｂによる効果と同じものになる。また、波及効果は、制御対象機器２０２の動作により発生する気流の下流側へ波及するものである。
【０１１９】
波及区画決定部２３２は、制御対象機器２０２以外の室内機１０２ａ，１０２ｂが影響区画に影響を及ぼしている場合、その室内機１０２ａ，１０２ｂの動作により発生する気流によって影響区画における効果が波及する区画（波及区画）を求める。
【０１２０】
すなわち、波及区画決定部２３２は、動作状態データ２２７が影響区画に関連付けられた効果を含む場合、配置データ２２５と機器性能データ１２６とを参照することによって、その室内機１０２ａ，１０２ｂの気流が到達する区画を求める。そして、波及区画決定部２３２は、室内機１０２ａ，１０２ｂの気流が到達する区画のうち、影響区画より下流側の区画を波及区画とする。
【０１２１】
第２の波及効果決定部２３３は、波及区画決定部２３２により波及区画が求められた場合に、波及区画に波及する効果を求める。波及区画に波及する効果には、効果決定部１２１により求められる影響効果と、第１の波及効果決定部２３１により求められる波及効果とがある。
【０１２２】
例えば、典型的には、制御対象機器２０２が「冷房モード」で動作する場合、効果決定部１２１により求められる影響効果は「冷やす」である。この場合において、制御対象機器２０２以外の室内機１０２ａ，１０２ｂの影響が影響区画に及んでいるとき、室内機１０２ａ，１０２ｂが吹き出す空気によって、波及区画には「冷やす」が波及する。
【０１２３】
また例えば、制御対象機器２０２が「送風モード」で動作する場合であって、その影響区画に制御対象機器２０２以外の室内機１０２ａ，１０２ｂの「冷やす」という効果が及んでいるとき、影響区画には「冷やす」という波及効果が波及する。このとき、第１の波及効果決定部２３１により求められる波及区画には、「冷やす」という波及効果がさらに波及する。
【０１２４】
図１６を参照する。不整合検知部２２３は、影響区画及び波及区画における不整合な状態を検知する。
【０１２５】
詳細には、不整合検知部２２３は、実施の形態１に係る不整合検知部１２３と同様に、影響効果と、動作状態データ２２７において影響区画に関連付けられた、制御対象機器２０２以外の室内機１０２ａ，１０２ｂの効果とを参照する。
【０１２６】
不整合検知部２２３は、さらに、波及効果と、その波及効果が及ぶ影響区画に動作状態データ２２７において関連付けられた、制御対象機器２０２以外の室内機１０２ａ，１０２ｂの効果とを参照する。
【０１２７】
不整合検知部２２３は、さらに、第２の波及効果決定部２３３により求められる効果、すなわち波及区画へ波及した影響効果、及び波及区画に波及した波及効果と、波及区画に動作状態データ２２７において関連付けられた、制御対象機器２０２以外の室内機１０２ａ，１０２ｂの効果とを参照する。
【０１２８】
そして、不整合検知部２２３は、影響区画ごとに、また、波及区画ごとに、これらの参照した効果の関係に基づいて、実施の形態１に係る不整合検知部１２３と同様の方法により、不整合な状態を検知する。
【０１２９】
これまで、実施の形態２に係る空気調和システム２００及び空気調和機運用装置２０４の構成について説明した。ここから空気調和システム２００及び空気調和機運用装置２０４の動作について説明する。
【０１３０】
本実施の形態では、制御対象機器２０２に「送風モード」で動作させる制御命令が出力され、その制御命令に機器アドレス「３」を関連付けた機器制御情報が制御対象機器２０２から送信されたとする。空気調和機運用装置２０４が動作しているときに制御対象機器２０２から機器制御情報が送信されると、空気調和機運用装置２０４は、図２１に示すように、実施の形態１と同様のステップＳ１０１〜ステップＳ１０３における処理を実行する。
【０１３１】
本実施の形態では、機器制御情報取得部１２０は、機器アドレス「３」と「送風モード」で動作することとを含む機器制御情報を、制御対象機器２０２から取得する。従って、効果決定部１２１は、「送風」を影響効果として求める（ステップＳ１０２）。
【０１３２】
図１８に示す配置データ２２５を参照すると、機器アドレス「３」には「１方向吹出し室内機」が「機器種別」として関連付けられている。また、図５に示す機器性能データ１２６を参照すると、「１方向吹出し室内機」という「機器種別」には「｛｛１，０｝，２｝」が「性能」として関連付けられている。そして、図１８に示す配置データ２２５を参照すると、機器アドレス「３」には、「｛２，２｝」が「設置方向」として関連付けられている（ステップＳ１１１）。
【０１３３】
そのため、影響区画決定部１２２は、「性能」に含まれる吹き出し方向である｛１，０｝を回転させ、｛０，−１｝を吹き出し方向として求める（ステップＳ１１２）。
【０１３４】
図１８に示す配置データ２２５を参照すると、機器アドレス「３」には「｛２，２｝」が「設置位置」として関連付けられている。図５に示す機器性能データ１２６を参照すると、「１方向吹出し室内機」という「機器種別」に関連付けられた「性能」は、気流到達距離として「２」を含む。
【０１３５】
そのため、影響区画決定部１２２は、制御対象機器２０２の設置位置である｛２，２｝と、吹き出し方向に距離「２」までの区画｛１，２｝及び｛０，２｝とを影響区画として求める（ステップＳ１１３）。この影響区画は、例えば、設置位置｛２，２｝に、｛０，−１｝及び｛０，−２｝のそれぞれを加算することで求められる。
【０１３６】
図２１を参照し、波及効果区画決定部２３０は、波及効果、波及区画、及び波及区画に波及する効果を決定する（ステップＳ２０８）。
【０１３７】
詳細には、図２２に示すように、第１の波及効果決定部２３１は、動作状態データ２２７を参照し（ステップＳ２４１）、影響区画に関連付けられた、制御対象機器２０２以外の室内機１０２ａ，１０２ｂによる効果があるか否かを判定する（ステップＳ２４２）。
【０１３８】
ここで、制御対象機器２０２がすでに動作しており、その動作状態データ２２７が動作記状態憶部２１７に記憶されていた場合、その動作状態データ２２７は、ステップＳ２０８での処理では除外される。
【０１３９】
影響区画に効果がないと判定した場合（ステップＳ２４２；Ｎｏ）、第１の波及効果決定部２３１は、波及効果区画決定処理（ステップＳ２０８）を終了する。
【０１４０】
影響区画に効果があると判定した場合（ステップＳ２４２；Ｙｅｓ）、第１の波及効果決定部２３１は、波及効果を求める（ステップＳ２４３）。
【０１４１】
本実施の形態では、図１９に示す動作状態データ２２７において、影響区画である｛２，２｝、｛１，２｝及び｛０，２｝に関連付けられた動作機器アドレス及び効果を参照すると、「｛１，２｝」に「｛１，冷やす｝」が、「｛０，２｝」に「｛２，暖める｝」が、それぞれ関連付けられている。波及効果は、吹き出し方向の下流側へ波及するので、第１の波及効果決定部２３１は、図２３に示すように、「｛１，２｝」に「｛１，冷やす｝」を「｛０，２｝」へ波及させることによって波及効果を求める。
【０１４２】
波及区画決定部２３２は、配置データ２２５及び機器性能データ１２６を参照し（ステップＳ２４４）、影響区画決定処理（ステップＳ１０３）と同様の処理を実行することによって、波及区画を求める（ステップＳ２４５）。
【０１４３】
本実施の形態では、制御対象機器２０２以外の室内機１０２ａ，１０２ｂ，２０２が発生させる気流は、影響区画以外に到達しない。従って、波及区画はない。
【０１４４】
第２の波及効果決定部２３３は、動作状態データ２２７を参照し（ステップＳ２４６）、影響効果及び波及効果それぞれを、波及区画へ波及する効果として求める（ステップＳ２４７）。
【０１４５】
本実施の形態では、上述のように、波及区画がないので、ステップＳ２４７にて求められる効果もない。
【０１４６】
図２２を参照し、第２の波及効果決定部２３３は、波及データを生成し、不整合検知部２２３へ出力する（ステップＳ２４８）。
【０１４７】
詳細には、第２の波及効果決定部２３３は、ステップＳ２４３にて効果を波及させた影響区画と、ステップＳ２４３にて求めた波及効果と、その波及効果の元となる室内機１０２ａ，１０２ｂの機器アドレスとを含む波及データを生成する。
【０１４８】
また、第２の波及効果決定部２３３は、ステップＳ２４５にて求めた波及区画と、ステップＳ２４７にて求めた効果と、その効果の元となる室内機１０２ａ，１０２ｂ，２０２の機器アドレスとを含む波及データを生成する。
【０１４９】
これにより、第２の波及効果決定部２３３は、波及効果区画決定処理（ステップＳ２０８）を終了させる。
【０１５０】
図２１を参照し、不整合検知部２２３は、実施の形態１と同様に、影響データに含まれる影響区画ごとに、影響データにて影響区画に関連付けられた効果と、制御対象機器２０２以外の動作中の室内機１０２ａ，１０２ｂがその影響区画に及ぼす効果とを参照する。
【０１５１】
また、不整合検知部２２３は、波及データに含まれる影響区画ごとに、その波及データにて影響区画に関連付けられた波及効果と、その波及効果の元となる室内機１０２ａ，１０２ｂ及び制御対象機器２０２以外の動作中の室内機１０２ａ，１０２ｂがその影響区画に及ぼす効果とを参照する。
【０１５２】
さらに、不整合検知部２２３は、波及データに含まれる波及区画ごとに、その波及データにて波及区画に関連付けられた効果と、その効果の元となる室内機１０２ａ，１０２ｂ及び制御対象機器２０２以外の動作中の室内機１０２ａ，１０２ｂがその波及区画に及ぼす効果とを参照する。
【０１５３】
そして、不整合検知部２２３は、影響区画ごとに、また、波及区画ごとに、これらの参照した効果の関係に基づいて、実施の形態１に係る不整合検知部１２３と同様の方法により、不整合な状態を検知する。（ステップＳ２０５）
【０１５４】
不整合な状態であると判定した場合（ステップＳ２０５；Ｙｅｓ）、不整合検知部２２３は、不整合な状態である影響区画及び波及区画に影響を及ぼす室内機１０２ａ，１０２ｂ，２０２の機器アドレスを求める（ステップＳ２０６）。
【０１５５】
詳細には、不整合検知部２２３は、制御対象機器２０２の機器アドレスを求める。不整合検知部２２３は、不整合な状態である影響区画に波及効果を及ぼす元となっている、制御対象機器２０２以外の動作中の室内機１０２ａ，１０２ｂの機器アドレスを求める。不整合検知部２２３は、不整合な状態である波及区画に効果を及ぼす元となっている、室内機１０２ａ，１０２ｂ，２０２の機器アドレスを求める。
【０１５６】
本実施の形態では、不整合検知部２２３は、制御対象機器２０２の機器アドレスとして「３」を求める。また、不整合検知部２２３は、不整合な状態である影響区画｛０，２｝に波及効果を及ぼす元となっている、制御対象機器２０２以外の動作中の室内機１０２ａ，１０２ｂの機器アドレスとして「１」と「２」とを求める。
【０１５７】
なお、第２の波及効果決定部２３３は、ステップＳ２４７にて、波及効果の波及を求めずに、効果決定部１２１により求められる影響効果についてのみを波及区画へ波及する効果としてもよい。この場合、波及区画へ波及する効果の元となる室内機は制御対象機器２０２となる。
【０１５８】
本実施の形態に係る空気調和システム２００及び空気調和機運用装置２０４によれば、実施の形態１の空気調和システム１００及び空気調和機運用装置１０４と同様の効果を奏する。
【０１５９】
さらに、波及効果、又は波及区画に波及した効果を参照して、影響区画又は波及区画の不整合な状態を検知することができる。これにより、室内機１０２ａ，１０２ｂ，２０２がある程度密集して配置されている場合、空気調和機としての室内機１０２ａ，１０２ｂ，２０２が送風機など機器自体には室内温度を変化させる能力のない機器である場合などであっても、不整合な状態を的確に検知することができる。
【０１６０】
以上、本発明の実施形態について説明したが、本発明は、実施形態に限定されるものではなく、実施形態に種々の変更を加えた態様やそれらと均等な技術的範囲をも含む。
【０１６１】
本出願は、２０１２年１１月３０日に出願した日本国特許出願２０１２−２６３２４７号に基づく優先権を主張するものである。この特許出願の開示内容は参照により全体として本出願に取り込まれる。
【産業上の利用可能性】
【０１６２】
本願発明は、空気調和機、照明機器などの設備機器を運用するための装置、システム、方法、プログラムなどに利用することができる
【符号の説明】
【０１６３】
１００，２００  空気調和システム、１０２ａ，１０２ｂ，２０２  室内機（制御対象機器）、１０３  室外機、１０４，２０４  空気調和機運用装置、１０６  通信回線、１０８  対象空間、１１５，２１５  配置記憶部、１１６  機器性能記憶部、１１７，２１７  動作状態記憶部、１１８  効果判定ルール記憶部、１１９  通信部、１２０  機器制御情報取得部、１２１  効果決定部、１２２  影響区画決定部、１２３，２２３  不整合検知部、１２４  送信情報生成部、１２５，２２５  配置データ、１２６  機器性能データ、１２７，２２７  動作状態データ、１２８  効果判定ルールデータ、２３０  波及効果区画決定部、２３１  第１の波及効果決定部、２３２  波及区画決定部、２３３  第２の波及効果決定部。
【図１】
0006000374.tif 000002
【図２】
0006000374.tif 000003
【図３】
0006000374.tif 000004
【図４】
0006000374.tif 000005
【図５】
0006000374.tif 000006
【図６】
0006000374.tif 000007
【図７】
0006000374.tif 000008
【図８】
0006000374.tif 000009
【図９】
0006000374.tif 000010
【図１０】
0006000374.tif 000011
【図１１】
0006000374.tif 000012
【図１２】
0006000374.tif 000013
【図１３】
0006000374.tif 000014
【図１４】
0006000374.tif 000015
【図１５】
0006000374.tif 000016
【図１６】
0006000374.tif 000017
【図１７】
0006000374.tif 000018
【図１８】
0006000374.tif 000019
【図１９】
0006000374.tif 000020
【図２０】
0006000374.tif 000021
【図２１】
0006000374.tif 000022
【図２２】
0006000374.tif 000023
【図２３】
0006000374.tif 000024